(57)【要約】【課題】複数のポケットを有し、ポケットが静止している時に設定を行うことができるシート材搬送装置を提供する。【解決手段】シート材搬送装置１００は、トラックに沿って走行する複数のポケット２０を有しており、各ポケット２０は、ポケット高さを設定高さに調節する設定装置を含んでいる。設定用アクチュエータ１２がポケット２０の側方に配置されており、この設定用アクチュエータ１２は、ポケット２０が静止している時に設定装置を調節するために設定装置に接触する第１の位置と、ポケットをトラックに沿って移動させることができるように設定装置から離れた第２の位置の間を選択的に移動可能である。【選択図】　図１
2004026505.tif 000002
【特許請求の範囲】
【請求項１】
各々が、ポケット高さを設定高さにするように調節する設定装置を含む、トラックに沿って走行する複数のポケットと、
前記ポケットの側方に配置された少なくとも１つの設定用アクチュエータであって、前記ポケットが静止している時に前記設定装置を調節するために前記設定装置に接触する第１の位置と、前記ポケットが前記トラックに沿って移動できるように前記設定装置から離れた第２の位置の間を選択的に移動可能である設定用アクチュエータとを有するシート材搬送装置。
【請求項２】
前記各ポケットは離隔間隔だけ互いに離れており、少なくとも１つの前記設定用アクチュエータは、前記離隔間隔だけ離れた複数の設定用アクチュエータを含んでいる、請求項１に記載のシート材搬送装置。
【請求項３】
複数の前記設定用アクチュエータを前記第１の位置および前記第２の位置にする移動可能なベースをさらに有している、請求項２に記載のシート材搬送装置。
【請求項４】
前記ポケットは、高さを調節するために前記設定装置に連結された底部を含んでいる、請求項１に記載のシート材搬送装置。
【請求項５】
前記底部は閉位置に向かってばね負荷をかけられており、前記各ポケットは前記シート材を放すために前記底部を開けることができるようにするカムフォロアをさらに含んでいる、請求項４に記載のシート材搬送装置。
【請求項６】
前記設定装置は少なくとも２つのスライドギアを含む、請求項１に記載のシート材搬送装置。
【請求項７】
前記ポケットは、前記スライドギアに回転可能に支持された底部を含んでいる、請求項６に記載のシート材搬送装置。
【請求項８】
前記スライドギアは歯付き側部を有しており、前記設定装置は、ポケット高さを設定するために前記歯付き側部と作用し合う歯車を含んでいる、請求項７に記載のシート材搬送装置。
【請求項９】
前記設定装置は、前記設定用アクチュエータの、相応のクラッチ機構と作用し合うクラッチ機構を含んでいる、請求項１に記載のシート材搬送装置。
【請求項１０】
前記設定用アクチュエータはモータによって作動させられる、請求項１に記載のシート材搬送装置。
【請求項１１】
少なくとも１つの前記設定用アクチュエータは複数のアクチュエータを含んでいる、請求項１に記載のシート材搬送装置。
【請求項１２】
各々が、ポケットの高さを調節する設定装置を含む複数のポケットをトラックに沿って移動させるステップと、
複数の前記ポケットを停止させるステップと、
少なくとも１つの設定用アクチュエータを、複数の前記ポケットのうちの第１のポケットが静止している間に該第１のポケットの前記設定装置に接触させるように動かすステップと、
前記設定用アクチュエータを用いて前記第１のポケットを設定高さに設定するステップと、
前記設定用アクチュエータを前記設定装置から移動させるステップとを有する、シート材用ポケットの高さを設定する方法。
【請求項１３】
前記ポケットを前記トラックに沿ってさらに移動させることと、前記ポケットを再び停止させることと、前記設定用アクチュエータを用いて第２のポケットを設定高さに設定することとをさらに有する、請求項１２に記載の、シート材用ポケットの高さを設定する方法。
【発明の詳細な説明】
【０００１】
【発明の属する技術分野】
本発明は、概して、例えば新聞紙を搬送するシート材搬送装置に関し、特に、トラック上を移動するポケットを有するシート材搬送装置に関する。本発明は、さらに、このようなポケットに関し、また、このようなポケットの底部の設定を行う方法に関する。
【０００２】
【従来の技術】
シート材供給装置からシート材を受け取るために、トラックを回って移動可能な複数のポケットを有するシート材搬送装置が特許文献１に記載されている。これらのポケットによって、例えば新聞の、最初の外側折り丁を第１のシート材供給装置によってポケット内に供給し、次に、新聞紙の、内側折り丁を新聞紙の、最初の外側折り丁の折られた両側の部分の間に差し入れることが可能になる。
【０００３】
この特許文献１の装置では、リフトカム２０が、ラック８０上に配置されたポケット基部９０の高さを設定するために、半円形の駆動ギア１５０を動かして駆動軸１１０を回転させるのに用いられている。ポケットが開くのがポール・ラチェット機構によって阻止されている。その後、シート材をポケット内に入れ、挿入することができる。
【０００４】
ポール・ラチェット機構は、その後、シート材を解放するために、トリップカムによって外すことができる。ポケット基部が駆動カムの操作によって開かれるように、トラックが付勢ばねによって低い位置に移動させられる。したがって、ポケット内のシート材は底部からポケットの外に移動させられて、さらに搬送され、または積み上げられる。
【０００５】
無端の経路に沿って移動可能なポケットが特許文献２に開示されている。各ポケットは、ポケットキャリア内に移動可能に取り付けられた、鉛直方向に調節可能な２つのストップを備えている。これらのポケットが無端の経路に沿って動かされる時に、ストップを鉛直方向に調節するために案内部材を意図的に設定することができる。
【０００６】
【特許文献１】
米国特許第５，９１１，４１６号明細書
【特許文献２】
米国特許第５，２５１，８８８号明細書
【０００７】
【発明が解決しようとする課題】
特許文献１，２では、ポケットが静止している時に設定を行うためにポケットに直接備えられた設定装置は設けられていない。
【０００８】
本出願人による米国特許第６，３９０，４６９号明細書には、複数のポケットを含むシート材搬送装置であって、ポケットが静止している時にポケットの高さを調節する設定装置が各ポケットに備えられ、これらの設定装置は設定ロッドとリングギアとロックリングを含んでいるシート材搬送装置が開示されている。この米国特許第６，３９０，４６９号は引用によって本明細書に取り入れられている。
【０００９】
【課題を解決するための手段】
本発明は、各々が、ポケット高さを設定高さにするように調節する設定装置を含む、トラックに沿って走行する複数のポケットと、ポケットの側方に配置された少なくとも１つの設定用アクチュエータであって、ポケットが静止している時に設定装置を調節するために設定装置と接触する第１の位置と、ポケットがトラックに沿って移動できるように、設定装置から離れた第２の位置の間を選択的に移動可能である設定用アクチュエータを有するシート材搬送装置を提供する。
【００１０】
各ポケットは離隔間隔だけ互いに離れており、少なくとも１つの設定用アクチュエータは、この離隔間隔だけ離れた複数の設定用アクチュエータを含んでいるのが好ましい。
【００１１】
この装置は、複数の設定用アクチュエータを第１の位置および前記第２の位置にする移動可能なベースをさらに有するのが好ましい。
【００１２】
ポケットは、高さを調節するために設定装置に連結された底部を含んでいるのが好ましい。この底部は、閉位置に向かってばね負荷をかけられていてよく、カムフォロアが、シート材を放すために底部を開けることができるようにするためにさらに備えられていてよい。
【００１３】
設定装置は少なくとも２つのスライドギアを含んでいてよく、底部はこのスライドギアに回転可能に支持されているのが好ましい。スライドギアは歯付きの側部を備えていてよく、歯車が、ポケット高さを設定するために歯付き側部と作用し合うことができる。これらのポケットはフレームを含んでいてよく、スライドギアはこのフレームに対しスライドして動く。
【００１４】
これらの歯車は、設定用アクチュエータの、相応のクラッチ機構と作用し合うクラッチ機構を備えるのが好ましい。このクラッチ機構は、摩擦を生じる円錐体や、キーとキー溝のような、任意の所望の形状にすることができ、設定用アクチュエータによって設定装置を動かす働きをすることだけが必要である。
【００１５】
これらの設定用アクチュエータはモータによって作動させられるものであってよい。
【００１６】
複数の設定用アクチュエータを備えるのが好ましい。
【００１７】
本発明によれば、各ポケットに複雑な装置を配置することなく、ポケットを自動的に設定できる。
【００１８】
本発明は、各々が、ポケット高さを調節する設定装置を含む複数のポケットをトラックに沿って移動させるステップと、複数のポケットを停止させるステップと、少なくとも１つの設定用アクチュエータを、複数のポケットのうちの第１のポケットが静止している間に第１のポケットの設定装置に接触させるように動かすステップと、設定用アクチュエータを用いて第１のポケットを設定高さに設定するステップと、設定用アクチュエータを設定装置から移動させるステップを有する、シート材用ポケットの高さを設定する方法も提供する。
【００１９】
この方法は、ポケットをトラックに沿ってさらに移動させ、ポケットを再び停止させ、設定用アクチュエータを用いて第２のポケットを設定高さに設定することをさらに含むのが好ましい。
【００２０】
【発明の実施の形態】
以下、図面を参照して本発明の好適な実施形態について説明する。
【００２１】
図１は、複数のポケット２０を方向Ｔに搬送するための無端のトラックを有するシート材搬送装置１００の模式図である。各ポケット２０は、例えばフレーム２２に固定されていてよいポケット背部２４を有するフレーム２２を含んでいる。
【００２２】
複数の設定用アクチュエータ１２が、例えば連結部材１４を介して、移動可能なベース１０に固定されていてよい。設定用アクチュエータ１２は、例えば電動モータを含んでいてよく、プロセッサ８０によって制御される。１つの方式において、設定用アクチュエータ１２は、出力軸１６を軸方向に引っ込め、伸ばすことができ、その結果、例えば、フレーム２２の穴２３を通って嵌るクラッチ機構１８によって、設定用アクチュエータ１２をポケット２０の設定装置に選択的に連結させることができる。あるいは、ベース１０をモータによってＹ方向に移動可能にしてもよい。
【００２３】
図２に示すように、ポケット２０用の設定装置は、設定用アクチュエータ１２のクラッチ機構１８と作用し合う、内部のクラッチ機構３７を有する歯車３６を含んでいる。歯車３６は、スライドギア３２を上下に動かすために回転させることができる。ポケット背部２４の切欠きを通るように指状に形成されていてよいポケット底部２６が、ばねの負荷がかかった状態でスライドギア３２に支持され、通常、図２に示す閉位置に押し付けられている。
【００２４】
ポケット底部２６は、図３に示すようにＡ方向に、すなわち閉位置に向かってばねの負荷をかけられている。
【００２５】
そこで、シート材がポケット２０内に置かれた時、ポケット２０の高さは、フレーム２２に対して、したがってポケット背部２４に対して移動可能なスライドギア３２および３４の位置によって定まる。スライドギア３２および３４は、米国特許第６，３９０，４６９号明細書に記載されているようにフレーム２２に嵌め込まれていてよい。
【００２６】
歯車３６および３９は、スライドギア３２，３４が同時に動くように回転軸３８によって連結されていてよい。
【００２７】
カムフォロア４０が、ポケット２０内のシート材を解放するために備えられていてよく、カムフォロア４０がカムによって下方に動かされた時に、ポケット底部２６のばね負荷に抗する、Ａ方向と反対方向の力が生じてポケット底部２６が開かれ、シート材がポケット２０から落とされる。カムの動きが止まると、ポケット底部２６は、設定装置によって設定された同じ位置に再び戻される。
【００２８】
図４は、設定装置のクラッチ機構３７が設定用アクチュエータ１２のクラッチ機構１８と作用し合う第１の位置にある、設定用アクチュエータ１２の出力軸１６を示している。クラッチ機構３７は、摩擦を生じるように被覆された、内側の円錐形の領域であり、クラッチ機構１８は、摩擦を生じるように被覆された円錐体であってよい。
【００２９】
本発明のシート材搬送装置によって、複数のポケットのポケット高さを変える有効な方法が得られる。例えば、この装置は２００個のポケットを有し、ベース１０は５個の設定用アクチュエータ１２のセットを有してよい。ポケット２０は、ポケット高さを再設定するために停止させられる。設定用アクチュエータ１２は、制御装置であるプロセッサ８０によって、５個のポケット２０の設定装置に接触するように動かされる。次に、歯車３６が設定用アクチュエータ１２によって所定量だけ回転させられ、これによって、新しいポケット高さが設定される。次に、設定用アクチュエータ１２は、プロセッサ８０によって、ポケット２０から外れるように動かされる。その後、ポケット２０は、５個の新たなポケット２０がベース１０の脇に位置するまでポケット２０のトラックＴに沿って移動させられ、ベース１０は、設定用アクチュエータ１２がこれらの５個の新たなポケット２０と係合するように移動させられる。その後、この設定工程が、２００個全てのポケット２０が新しい高さに再設定されるまで繰り返される。その後、この装置は、新たなシート材を再設定された高さで受け取る働きをすることができる。
【図面の簡単な説明】
【図１】本発明によるシート材搬送装置の模式図である。
【図２】本発明によるポケットを、分かりやすくするために幾つかの部材を省略して示す部分側面図である。
【図３】本発明によるポケットを、分かりやすくするために幾つかの部材を省略して示す部分斜視図である。
【図４】本発明による設定用アクチュエータと設定装置の一部を模式的に示す側面図である。
【符号の説明】
１０　　ベース
１２　　設定用アクチュエータ
１４　　連結部材
１６　　出力軸
１８，３７　　クラッチ機構
２０　　ポケット
２２　　フレーム
２３　　穴
２４　　ポケット背部
２６　　ポケット底部
３２，３４　　スライドギア
３６，３９　　歯車
３８　　回転軸
４０　　カムフォロア
８０　　プロセッサ
１００　　シート材搬送装置
【図１】
2004026505.tif 000003
【図２】
2004026505.tif 000004
【図３】
2004026505.tif 000005
【図４】
2004026505.tif 000006